(57)【要約】【課題】画像ファイルの転送中に広告データを表示すること。【解決手段】信制御部２０４ａは、使用者による操作に基づいて、メモリカードに記録されている画像ファイルのサーバ１００への送信開始を受け付け、使用者による送信開始指示があったときに、通信モジュール２０９を介してサーバ１００との間で無線通信を確立して、データ送受信部２０４ｂは、サーバ１００へ画像ファイルを送信する。データ送受信部２０４ｂは、サーバ１００との間の無線通信を確立してから、サーバ１００との間の無線通信を切断するまでの間に、広告データの送信をサーバ１００に要求し、サーバ１００から広告データを受信する。表示制御部２０４ｄは、受信した広告データをモニタ２０８に表示する。【選択図】図２
2009117898.tif 000002
【特許請求の範囲】
【請求項１】
被写体像を撮像して画像データを取得する画像取得手段と、
前記画像取得手段が取得した前記画像データを第１の記憶媒体に記録する画像データ記録手段と、
使用者による操作に基づいて、前記第１の記憶媒体に記録されている前記画像データの外部装置への送信開始を指示する送信開始指示手段と、
前記送信開始指示手段による送信開始指示があったときに、無線通信機器を介して前記外部装置との間で無線通信を確立して、前記外部装置へ前記画像データを送信する画像データ送信手段と、
前記外部装置との間の無線通信を確立してから、前記外部装置との間の無線通信を切断するまでの間に、使用者への通知情報の送信を前記外部装置に要求し、前記外部装置から前記通知情報を受信する通知情報受信手段と、
前記通知情報受信手段が受信した前記通知情報を表示装置に表示する表示制御手段とを備えることを特徴とするカメラ。
【請求項２】
請求項１に記載のカメラにおいて、
前記表示制御手段は、前記画像データ送信手段が前記外部装置へ前記画像データを送信している間に、前記通知情報を前記表示装置に表示することを特徴とするカメラ。
【請求項３】
請求項２に記載のカメラにおいて、
前記表示制御手段は、前記通知情報と共に、前記画像データ送信手段による前記画像データの送信状況を示す情報を前記表示装置に表示することを特徴とするカメラ。
【請求項４】
請求項２または３に記載のカメラにおいて、
前記通知情報受信手段が受信した前記通知情報を不揮発性の第２の記憶媒体に記録する通知情報記録手段をさらに備え、
前記表示制御手段は、前記第２の記憶媒体に記録されている前記通知情報を読み出して、前記表示装置に表示することを特徴とするカメラ。
【請求項５】
請求項４に記載のカメラにおいて、
前記通知情報記録手段は、前記第２の記憶媒体に前記通知情報が記録されていることを示す記録情報を前記第２の記憶媒体に記録し、
前記表示制御手段は、前記第２の記憶媒体に前記記録情報が記録されている場合には、前記第２の記憶媒体に前記記録情報が記録されている旨を示す情報、または前記第２の記憶媒体に記録されている前記通知情報を前記表示装置に表示することを特徴とするカメラ。
【請求項６】
請求項４に記載のカメラにおいて、
前記通知情報記録手段は、前記第２の記憶媒体に記録されている前記通知情報の数が所定の数以上であるときに、前記通知情報受信手段が前記外部装置から新たな前記通知情報を受信した場合には、前記第２の記憶媒体に記録されている前記通知情報の内、前記外部装置からの受信日時が最も古いものを削除して、新たな前記通知情報を前記第２の記憶媒体に記録することを特徴とするカメラ。
【請求項７】
請求項４に記載のカメラにおいて、
前記通知情報には有効期限が設定されており、
前記通知情報記録手段は、前記第２の記憶媒体に記録されている前記通知情報の内、設定されている有効期限が切れたものを削除することを特徴とするカメラ。
【請求項８】
請求項６または７に記載のカメラにおいて、
使用者は、前記通知情報に対して削除の許可または禁止を設定することができ、
前記通知情報記録手段は、削除が許可されている前記通知情報のみを削除することを特徴とするカメラ。
【請求項９】
請求項１に記載のカメラにおいて、
前記通知情報受信手段は、前記外部装置から要求分の前記通知情報の受信が完了したときに、前記画像データ送信手段が前記外部装置に送信する前記画像データの残りの枚数が所定枚数より多い場合には、前記外部装置に対して新たな前記通知情報の送信要求を行い、前記画像データ送信手段が前記外部装置に送信する前記画像データの残りの枚数が所定枚数以下である場合には、前記外部装置に対する新たな前記通知情報の送信要求を行わないことを特徴とするカメラ。
【請求項１０】
カメラと外部装置とを無線通信回線を介して接続したデータ送受信システムであって、
前記カメラは、
被写体像を撮像して画像データを取得する画像取得手段と、
前記画像取得手段が取得した前記画像データを第１の記憶媒体に記録する画像データ記録手段と、
使用者による操作に基づいて、前記第１の記憶媒体に記録されている前記画像データの外部装置への送信開始を指示する送信開始指示手段と、
前記送信開始指示手段による送信開始指示があったときに、無線通信機器を介して前記外部装置との間で無線通信を確立して、前記外部装置へ前記画像データを送信する画像データ送信手段と、
前記外部装置との間の無線通信を確立してから、前記外部装置との間の無線通信を切断するまでの間に、使用者への通知情報の送信を前記外部装置に要求し、前記外部装置から前記通知情報を受信する通知情報受信手段と、
前記通知情報受信手段が受信した前記通知情報を表示装置に表示する表示制御手段とを備え、
前記外部装置は、
前記カメラから要求に応じて前記通知情報を送信する通知情報送信手段を備え、
前記通知情報受信手段は、前記外部装置から要求分の前記通知情報の受信が完了したときに、前記画像データ送信手段が前記外部装置に送信する前記画像データの残りの枚数が所定枚数より多い場合には、前記外部装置に対して新たな前記通知情報の送信要求を行い、前記画像データ送信手段が前記外部装置に送信する前記画像データの残りの枚数が所定枚数以下である場合には、前記外部装置に対する新たな前記通知情報の送信要求を行わないことを特徴とするデータ送受信システム。
【請求項１１】
使用者による操作に基づいて、第１の記憶媒体に記録されている画像データの外部装置への送信開始を指示する送信開始指示手段と、
前記送信開始指示手段による送信開始指示があったときに、無線通信機器を介して前記外部装置との間で無線通信を確立して、前記外部装置へ前記画像データを送信する画像データ送信手段と、
前記外部装置との間の無線通信を確立してから、前記外部装置との間の無線通信を切断するまでの間に、使用者への通知情報の送信を前記外部装置に要求し、前記外部装置から前記通知情報を受信する通知情報受信手段と、
前記通知情報受信手段が受信した前記通知情報を表示装置に表示する表示制御手段とを備えることを特徴とする画像データ記録装置。
【請求項１２】
被写体像を撮像して画像データを取得し、
取得した前記画像データを第１の記憶媒体に記録し、
使用者による操作に基づいて、前記第１の記憶媒体に記録されている前記画像データの外部装置への送信開始を指示し、
送信開始指示があったときに、無線通信機器を介して前記外部装置との間で無線通信を確立して、前記外部装置へ前記画像データを送信し、
前記外部装置との間の無線通信を確立してから、前記外部装置との間の無線通信を切断するまでの間に、使用者への通知情報の送信を前記外部装置に要求し、前記外部装置から前記通知情報を受信し、
受信した前記通知情報を表示装置に表示することを特徴とするデータ送受信方法。
【請求項１３】
被写体像を撮像して画像データを取得し、
取得した前記画像データを第１の記憶媒体に記録し、
使用者による操作に基づいて、前記第１の記憶媒体に記録されている前記画像データの外部装置への送信開始を指示し、
送信開始指示があったときに、無線通信機器を介して前記外部装置との間で無線通信を確立して、前記外部装置へ前記画像データを送信し、
前記外部装置との間の無線通信を確立してから、前記外部装置との間の無線通信を切断するまでの間に、使用者への通知情報の送信を前記外部装置に要求し、前記外部装置から前記通知情報を受信し、
受信した前記通知情報を表示装置に表示し、
前記外部装置から要求分の前記通知情報の受信が完了したときに、前記外部装置に送信する前記画像データの残りの枚数が所定枚数より多い場合には、前記外部装置に対して新たな前記通知情報の送信要求を行い、前記外部装置に送信する前記画像データの残りの枚数が所定枚数以下である場合には、前記外部装置に対する新たな前記通知情報の送信要求を行わないことを特徴とするデータ送受信方法。
【発明の詳細な説明】
【技術分野】
【０００１】
本発明は、カメラ、データ送受信システム、画像データ記録装置、およびデータ送受信方法に関する。
【背景技術】
【０００２】
次のようなデジタルカメラが知られている。このデジタルカメラは、カメラの起動時や再生モードへの移行時などの所定のタイミングで、登録されている広告データを所定時間ＬＣＤに表示する（例えば、特許文献１）。
【０００３】
【特許文献１】特開２００３−４３９６６号公報
【発明の開示】
【発明が解決しようとする課題】
【０００４】
しかしながら、従来のデジタルカメラでは、カメラの起動時や再生モードへの移行時などに広告の表示を行うため、使用者が所望の操作を行うまでの間に、広告表示を目的とした待ち時間が発生する。
【課題を解決するための手段】
【０００５】
本発明によるカメラおよびデータ送受信方法は、被写体像を撮像して画像データを取得し、取得した画像データを第１の記憶媒体に記録し、使用者による操作に基づいて、第１の記憶媒体に記録されている画像データの外部装置への送信開始を指示し、送信開始指示があったときに、無線通信機器を介して外部装置との間で無線通信を確立して、外部装置へ画像データを送信し、外部装置との間の無線通信を確立してから、外部装置との間の無線通信を切断するまでの間に、使用者への通知情報の送信を外部装置に要求し、外部装置から通知情報を受信し、受信した通知情報を表示装置に表示することを特徴とする。
本発明によるカメラでは、外部装置へ画像データを送信している間に、通知情報を表示装置に表示することが好ましい。
本発明によるカメラでは、通知情報と共に、画像データの送信状況を示す情報を表示装置に表示するようにしてもよい。
本発明によるカメラでは、受信した通知情報を不揮発性の第２の記憶媒体に記録し、第２の記憶媒体に記録されている通知情報を読み出して、表示装置に表示するようにしてもよい。
本発明によるカメラでは、第２の記憶媒体に通知情報が記録されていることを示す記録情報を第２の記憶媒体に記録し、第２の記憶媒体に記録情報が記録されている場合には、第２の記憶媒体に記録情報が記録されている旨を示す情報、または第２の記憶媒体に記録されている通知情報を表示装置に表示するようにしてもよい。
本発明によるカメラでは、第２の記憶媒体に記録されている通知情報の数が所定の数以上であるときに、外部装置から新たな通知情報を受信した場合には、第２の記憶媒体に記録されている通知情報の内、外部装置からの受信日時が最も古いものを削除して、新たな通知情報を第２の記憶媒体に記録するようにしてもよい。
本発明によるカメラでは、通知情報には有効期限が設定されており、第２の記憶媒体に記録されている通知情報の内、設定されている有効期限が切れたものを削除するようにしてもよい。
本発明によるカメラでは、使用者は、通知情報に対して削除の許可または禁止を設定することができ、削除が許可されている通知情報のみを削除するようにしてもよい。
本発明によるカメラでは、外部装置から要求分の通知情報の受信が完了したときに、外部装置に送信する画像データの残りの枚数が所定枚数より多い場合には、外部装置に対して新たな通知情報の送信要求を行い、外部装置に送信する画像データの残りの枚数が所定枚数以下である場合には、外部装置に対する新たな通知情報の送信要求を行わないようにしてもよい。
本発明によるデータ送受信システムおよびデータ送受信方法は、カメラと外部装置とを無線通信回線を介して接続したデータ送受信システムであって、カメラは、被写体像を撮像して画像データを取得し、取得した画像データを第１の記憶媒体に記録し、使用者による操作に基づいて、第１の記憶媒体に記録されている画像データの外部装置への送信開始を指示し、送信開始指示があったときに、無線通信機器を介して外部装置との間で無線通信を確立して、外部装置へ画像データを送信し、外部装置との間の無線通信を確立してから、外部装置との間の無線通信を切断するまでの間に、使用者への通知情報の送信を外部装置に要求し、外部装置から通知情報を受信し、受信した通知情報を表示装置に表示する。また、外部装置は、カメラから要求に応じて通知情報を送信し、外部装置から要求分の通知情報の受信が完了したときに、外部装置に送信する画像データの残りの枚数が所定枚数より多い場合には、外部装置に対して新たな通知情報の送信要求を行い、外部装置に送信する画像データの残りの枚数が所定枚数以下である場合には、外部装置に対する新たな通知情報の送信要求を行わないことを特徴とする。
本発明による画像データ記録装置は、使用者による操作に基づいて、第１の記憶媒体に記録されている画像データの外部装置への送信開始を指示し、送信開始指示があったときに、無線通信機器を介して外部装置との間で無線通信を確立して、外部装置へ画像データを送信し、外部装置との間の無線通信を確立してから、外部装置との間の無線通信を切断するまでの間に、使用者への通知情報の送信を外部装置に要求し、外部装置から通知情報を受信し、受信した通知情報を表示装置に表示することを特徴とする。
【発明の効果】
【０００６】
本発明によれば、通知情報の表示を目的とした待ち時間を発生させずに済む。
【発明を実施するための最良の形態】
【０００７】
図１は、本実施の形態におけるデータ送受信システムの一実施の形態の構成を示すブロック図である。データ送受信システム１０は、サーバ１００と、デジタルカメラ２００と、アクセスポイント３００とで構成される。デジタルカメラ２００は、無線ＬＡＮモジュールなどの無線モジュールを搭載しており、アクセスポイント３００との間で無線通信を確立する。アクセスポイント３００は、インターネットなどの通信回線（ネットワーク）を介して、サーバ１００と接続されている。これによって、デジタルカメラ２００は、アクセスポイント３００を介して、サーバ１００との間で通信を行うことができる。
【０００８】
本実施の形態では、デジタルカメラ２００は、撮影されてメモリカード等の記憶媒体に記録されている画像ファイル（画像データ）をアクセスポイント３００を介してサーバ１００へアップロードして、サーバ１００上の記憶領域に記録することができる。また、デジタルカメラ２００は、サーバ１００から使用者へのお知らせや広告などの通知情報を受信して、デジタルカメラ２００が備えるモニタへ表示することができる。なお、ここでサーバ１００から受信する通知情報は、通信負荷を低減するためにテキストデータであるものとするが、画像データや音声データ等であってもよい。
【０００９】
図２は、本実施の形態におけるデジタルカメラ２００の一実施の形態の構成を示すブロック図である。デジタルカメラ２００は、操作部材２０１と、レンズ２０２と、撮像素子２０３と、制御装置２０４と、ＳＤＲＡＭ２０５と、フラッシュメモリ２０６と、メモリカードスロット２０７と、モニタ２０８と、通信モジュール２０９とを備えている。
【００１０】
操作部材２０１は、使用者によって操作される種々の入力部材、例えば電源ボタン、レリーズボタン、ズームボタン、十字キー、ＯＫボタン、メニューボタン、再生ボタン、削除ボタンなどを含んでいる。
【００１１】
レンズ２０２は、複数の光学レンズから構成されるが、図２では代表して１枚のレンズで表している。撮像素子２０３は、例えばＣＣＤやＣＭＯＳであり、レンズ２０２により結像した被写体像を撮像して画像を取得する。そして、取得した画像データを制御装置２０４へ出力する。
【００１２】
制御装置２０４は、ＣＰＵやその他の周辺回路により構成され、後述するＳＤＲＡＭ２０５を作業領域として使用して、撮像素子２０３から入力された画像データに画像処理を施す。例えば、画像データに対して階調補正処理や色変換処理を施した後、所定の画像形式、例えばＪｐｅｇ形式に圧縮し、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルを生成する。そして、生成した画像ファイルを後述するメモリカードスロット２０７へ出力する。
【００１３】
ＳＤＲＡＭ２０５は、揮発性のメモリであって、ＣＰＵがプログラム実行時にプログラムを展開するためのワークメモリとして使用されたり、データを一時的に記録するためのバッファメモリとして使用される。また、フラッシュメモリ２０６は、不揮発性のメモリであって、ＣＰＵによって実行されるプログラムのデータや、プログラム実行時に読み込まれる種々のパラメータなどが記録されている。
【００１４】
メモリカードスロット２０７は、着脱可能な記憶媒体である不揮発性のメモリカード、例えばＳＤカードを挿入するためのスロットであって、上述したように、制御装置２０４から出力される画像ファイルをメモリカードに書き込んで記録する。また、メモリカードスロット２０７は、制御装置２０４からの指示に基づいて、メモリカード内に記録されている画像ファイルを読み出して制御装置２０４へ出力したり、記録されている画像ファイルを削除したりする。
【００１５】
モニタ２０８は、デジタルカメラ２００の背面に搭載された液晶モニタ（背面モニタ）であり、当該モニタ２０８には、メモリカードに記憶されている画像や、サーバ１００から受信したお知らせや広告などの通知情報が表示される。また、デジタルカメラ２００を設定するための設定メニューなどの種々の情報が表示される。また、制御装置２０４が撮像素子２０３で取得した画像を時系列でモニタ２０８に出力することによって、モニタ２０８には、各フレームの画像が所定時間間隔で順番に表示される。すなわちモニタ２０８にはスルー画が表示される。
【００１６】
通信モジュール２０９は、デジタルカメラ２００がアクセスポイント３００と無線通信するための無線ＬＡＮモジュールである。通信モジュール２０９は、後述する通信制御部２０４ａによって制御され、使用者によって通信の開始が指示されると、アクセスポイント３００との間で無線通信を確立して、アクセスポイント３００を介してサーバ１００に接続する。なお、この通信モジュール２０９は、デジタルカメラ２００に内蔵するようにしてもよく、デジタルカメラ２００に着脱可能な構成としてもよい。
【００１７】
制御装置２０４は、通信制御部２０４ａと、データ送受信部２０４ｂと、記録制御部２０４ｃと、表示制御部２０４ｄとを機能的に備えている。本実施の形態におけるデジタルカメラ２００は、使用者によって操作部材２０１が操作されて画像ファイルの転送開始が指示されたときに、通信制御部２０４ａは、通信モジュール２０９を制御してアクセスポイント３００を介してサーバ１００との無線通信を開始する。
【００１８】
データ送受信部２０４ｂは、通信制御部２０４ａによってサーバ１００との無線通信が開始されると、メモリカードスロット２０７に挿入されているメモリカードに記録されている全ての画像ファイルを読み込んで、サーバ１００への送信を開始する。これによって、使用者による画像の転送開始指示に基づいて、メモリカード内に記録されている画像ファイルを自動的にサーバ１００へアップロードして、バックアップをとることができる。なお、通信制御部２０４ａは、データ送受信部２０４ｂによるサーバ１００への画像ファイルの転送が完了した場合には、通信モジュール２０９を制御してアクセスポイント３００との間の無線通信を切断することによって、サーバ１００への接続を終了する。
【００１９】
データ送受信部２０４ｂは、このように画像ファイルをサーバ１００に転送している間に、サーバ１００に対して上述した通知情報の送信を要求する。サーバ１００の記憶媒体には、あらかじめデジタルカメラ２００へ送信するためのお知らせや広告などのテキストデータが記録されている。サーバ１００の制御装置は、デジタルカメラ２００からの送信要求に基づいて、記憶媒体からお知らせや広告などのテキストデータを読み込んでデジタルカメラ２００へ送信する。
【００２０】
データ送受信部２０４ｂは、サーバ１００からお知らせや広告などのテキストデータ、すなわち通知情報のデータを受信し、記録制御部２０４ｃは、受信した通知情報のデータをフラッシュメモリ２０６に記録する。表示制御部２０４ｄは、データ送受信部２０４ｂが画像ファイルをサーバ１００へ転送している間、フラッシュメモリ２０６に記録されている通知情報のデータを読み込んで、モニタ２０８へ表示する。これによって、サーバ１００への画像ファイルの送信中の待ち時間を利用して、モニタ２０８に使用者へのお知らせや広告などの種々の情報を表示することができる。
【００２１】
図３は、本実施の形態におけるサーバ１００とデジタルカメラ２００との間で送受信されるデータの内容を時系列で表示した図である。図３においては、上から下に向けて時間が経過していくように時間軸を設定している。ここでは、サーバ１００への転送対象の画像ファイルの枚数が２５枚である場合に、サーバ１００へ１０枚の画像ファイルを転送する間に１画面分の広告をモニタ２０８に表示する例について説明する。すなわち、サーバ１００へ１０枚の画像を転送するごとに、モニタ２０８に表示される広告が切り替わる。このため、データ送受信部２０４ｂは、画像ファイルを１０枚送信するごとに、サーバ１００に対して通知情報のデータ（図３では広告のテキストデータ（広告データ））の送信を要求する。
【００２２】
なお、データ送受信部２０４ｂは、サーバ１００に対して広告データの送信を要求する時点で、サーバ１００に送信する残りの画像ファイルの枚数が所定枚数、例えば１０枚以下である場合には、サーバ１００に対して広告データの送信を要求せず、表示中の広告をそのまま表示する。
【００２３】
まず、通信制御部２０４ａは、通信モジュール２０９を制御して、アクセスポイント３００を介してサーバ１００に接続する。その後、データ送受信部２０４ｂは、サーバ１００に対して、１画面目の広告データの送信を要求して、サーバ１００から１画面目の広告データを受信する。この１画面目の広告画像の画像データは、記録制御部２０４ｃによってフラッシュメモリ２０６に記録され、表示制御部２０４ｄによってモニタ２０８に表示される。また、記録制御部２０４ｃは、広告データがフラッシュメモリ２０６に記録されていることを示す情報として、広告保存フラグをフラッシュメモリ２０６に記録する。
【００２４】
なお、各広告データには、その広告の作成日時順に昇順となるように広告ＩＤが付加されている。データ送受信部２０４ｂは、サーバ１００に対する広告データの送信要求時に、サーバ１００に対して、フラッシュメモリ２０６に記録されている広告データに付加されている広告ＩＤのうち、最も番号の大きい広告ＩＤを送信する。サーバ１００は、広告ＩＤが受信した広告ＩＤより大きい広告データをデジタルカメラ２００に送信する。これによって、デジタルカメラ２００は、既にフラッシュメモリ２０６に記録されている広告データよりも新しい広告データをサーバ１００から取得することができる。
【００２５】
また、本実施の形態のデジタルカメラ２００では、フラッシュメモリ２０６のメモリ使用量を節約するために、フラッシュメモリ２０６内には、あらかじめ設定された所定数、例えば１０の広告データのみを記録できるようにしておく。記録制御部２０４ｃは、サーバ１００から新しい広告データを受信したときに、既にフラッシュメモリ２０６内に所定数の広告データが記録されている場合には、既に記録されている広告データの中から、広告ＩＤが最も小さい広告データを消去した後、新たに受信した広告データを記録する。これによって、フラッシュメモリ２０６に記録できる広告データの最大数を超えた場合には、自動的に最も古い広告データを消去して、新たな広告データを記録することができる。
【００２６】
データ送受信部２０４ｂによるサーバ１００への広告ＩＤの送信、および記録制御部２０４ｃによる広告データの自動削除は、２画面目以降の広告データをサーバ１００へ要求するとき、および受信するときにも同様に行われる。
【００２７】
次に、データ送受信部２０４ｂは、サーバ１００からの画像データの転送要求（画像データ要求）を受けたことに基づいて、メモリカードから１枚目の画像ファイルを読み出してサーバ１００へ転送する。その後、サーバ１００からは、画像ファイルの転送要求が１枚ずつ送信されてくるため、データ送受信部２０４ｂは、サーバ１００からの要求に基づいて、１枚ずつ画像ファイルをサーバ１００へ転送していく。このとき、表示制御部２０４ｄは、画像ファイルのサーバ１００への転送状況を示す情報、例えば現在転送中の画像ファイルが全転送枚数に対して何枚目であるかを示す情報をモニタ２０８に表示する。これによって、使用者は、現在の画像ファイルの転送状況を把握することができる。
【００２８】
図４は、モニタ２０８への広告データ、および画像ファイルの転送状況の表示例を示す図である。この図４に示すように、モニタ２０８上には、広告４ａと、現在転送中の画像ファイルが全転送枚数に対して何枚目であるかを示す転送状況、例えば文字４ｂおよびプログレスバー４ｃとが表示されている。また、モニタ２０８上には、使用者が操作部材２０１に含まれるＯＫボタンを押下することによって、転送をキャンセルできることを案内するための情報４ｄも表示されている。
【００２９】
データ送受信部２０４ｂは、サーバ１００へ１０枚目の画像ファイルの転送を完了した時点で、残りの転送枚数が、新たな広告データを要求するか否かを判定するための所定枚数、例えば１０枚より多いか否かを判断する。この場合には、残り枚数は１５枚であるため、データ送受信部２０４ｂは、サーバ１００に対して、２画面目の広告データの送信を要求して、サーバ１００から２画面目の広告データを受信する。この２画面目の広告データも、記録制御部２０４ｃによってフラッシュメモリ２０６に記録され、表示制御部２０４ｄによってモニタ２０８に表示される。
【００３０】
その後、データ送受信部２０４ｂは、サーバ１００からの画像データ要求に基づいて、１１枚目から２０枚目までの画像ファイルを順番にサーバ１００へ転送する。データ送受信部２０４ｂは、サーバ１００へ２０枚目の画像ファイルの転送を完了した時点で、残りの転送枚数が、新たな広告データを要求するか否かを判定するための所定枚数、例えば１０枚より多いか否かを判断する。この場合には、残り枚数は５枚であるため、データ送受信部２０４ｂは、サーバ１００に対して、新たな広告データの送信を要求しない。
【００３１】
そして、データ送受信部２０４ｂは、その後に受信するサーバ１００からの画像データ要求に基づいて、２１枚目から２５枚目までの画像ファイルを順番にサーバ１００へ転送する。通信制御部２０４ａは、サーバ１００へ最後の画像データ、すなわち２５枚目の画像ファイルの転送が完了した後に、通信モジュール２０９を制御して、サーバ１００との間の通信を切断する。その後、表示制御部２０４ｄは、モニタ２０８への広告データの表示を終了して、サーバ１００への画像の転送が終了したことを示すメッセージ、例えば「転送終了しました」をモニタ２０８に表示する。
【００３２】
上述した処理によってサーバ１００から受信した広告データは、モニタ２０８への表示が終了した後もフラッシュメモリ２０６に保存される。使用者は、操作部材２０１を操作して、フラッシュメモリに記録されている広告データを削除することができる。また、フラッシュッメモリ２０８に記録されている広告データには、各広告の有効期限が設定されており、記録制御部２０４ｃは、有効期限が切れた広告データを自動的にフラッシュメモリ２０６から削除する。例えば、広告データのヘッダー部に有効期限に関する情報を記録しておき、記録制御部２０４ｃは、各広告データのヘッダー部から当該情報を読み込んで、各広告データが有効期限切れであるか否かを判断する。
【００３３】
このとき、使用者は、削除したくない広告データを操作部材２０１を操作してプロテクトすることができる。使用者によってプロテクトされた広告データには、その旨を示す情報、例えばプロテクトフラグが広告データのヘッダー部に追加される。記録制御部２０４ｃは、ヘッダー部にプロテクトフラグが記録されている広告データは、例えば有効期限が切れていたとしても削除の対象から除外する。
【００３４】
例えば、使用者は、操作部材２０１を操作して図５（ａ）に示すような広告データ管理画面をモニタ２０８に表示する。この広告データ管理画面では、使用者は、画面に表示されている案内に従って操作部材２０１を操作することにより、現在選択中の広告５ａをプロテクトしたり、削除したりすることができる。具体的には、記録制御部２０４ｃは、使用者によって操作部材２０１に含まれるＯＫボタンが押下されたことを検出した場合には、現在選択中の広告５ａをプロテクトする。また、記録制御部２０４ｃは、使用者によって操作部材２０１に含まれる削除ボタンが押下されたことを検出した場合には、現在選択中の広告５ａを削除する。
【００３５】
なお、使用者によって操作部材２０１に含まれる削除ボタンが押下されたことを検出した場合には、表示制御部２０４ｄは、使用者に対して削除の可否を問うために、図５（ｂ）に示すような確認画面を表示するようにしてもよい。そして、記録制御部２０４ｃは、使用者によって「はい」が選択された状態で操作部材２０１に含まれるＯＫボタンが押下されたことを検出した場合には、現在選択中の広告５ａを削除するようにしてもよい。
【００３６】
また、使用者は、操作部材２０１に含まれる十字キーを操作することにより、現在選択中の広告５ａをフラッシュメモリ２０６に記録されている他の広告データに切り替えることができる。具体的には、表示制御部２０４ｄは、使用者によって十字キーの右ボタンが押下されたことを検出した場合には、現在選択中の広告５ａをフラッシュメモリ２０６に記録されている次の広告ＩＤの広告データに切り替える。
【００３７】
これに対して、表示制御部２０４ｄは、使用者によって十字キーの左ボタンが押下されたことを検出した場合には、現在選択中の広告５ａをフラッシュメモリ２０６に記録されている１つ前の広告ＩＤの広告データに切り替える。また、表示制御部２０４ｄは、使用者によって操作部材２０１に含まれるメニューボタンが押下されたことを検出した場合には、広告データ管理画面の表示を終了する。
【００３８】
本実施の形態におけるデジタルカメラ２００では、例えば、使用者によってデジタルカメラ２００の電源がオンされたときに、制御装置２０４は、図６に示す処理を実行することによって、有効期限が切れた広告データを自動的に削除する。
【００３９】
ステップＳ１０において、記録制御部２０４ｃは、フラッシュメモリ２０６内に上述した広告保存フラグが記録されているか否かを判断する。肯定判断した場合には、ステップＳ２０へ進む。ステップＳ２０では、記録制御部２０４ｃは、フラッシュメモリ２０６内に記録されている広告データの有効期限を確認して、フラッシュメモリ２０６内に記録されている広告データの中に有効期限が切れているものがあるか否かを判断する。否定判断した場合には、後述するステップＳ５０へ進む。これに対して、肯定判断した場合には、ステップＳ３０へ進む。
【００４０】
ステップＳ３０では、記録制御部２０４ｃは、有効期限が切れている広告データをフラッシュメモリ２０６から削除する。このとき、記録制御部２０４ｃは、使用者によってプロテクトされた広告データは、削除の対象から除外する。その後、ステップＳ４０へ進む。ステップＳ４０では、記録制御部２０４ｃは、フラッシュメモリ２０６内に広告データが残っているか否かを判断する。肯定判断した場合には、ステップＳ５０へ進む。ステップＳ５０では、表示制御部２０４ｄは、デジタルカメラ２００の起動時に表示されるオープニング画面をモニタ２０８に表示して、ステップＳ６０へ進む。
【００４１】
ステップＳ６０では、表示制御部２０４ｄは、撮像素子２０３で取得した画像を時系列でモニタ２０８に出力することによってモニタ２０８にスルー画を表示する。そして、表示制御部２０４ｄは、図７に示すように、フラッシュメモリ２０６内に広告データが記録されていることを示す情報アイコン７ａをスルー画上に重畳して表示して、後述するステップＳ９０へ進む。これによって、使用者は、フラッシュメモリ２０６内に広告データが記録されていることを把握することができる。なお、スルー画上に情報アイコン７ａが表示されている場合には、使用者は、操作部材２０１を操作することによって、フラッシュメモリ２０６内に記録されている広告データをモニタ２０８に表示して内容を確認することができる。
【００４２】
一方、ステップＳ１０またはステップＳ４０で否定判断した場合には、ステップＳ７０へ進む。ステップＳ７０では、表示制御部２０４ｄは、上述したオープニング画面をモニタ２０８に表示して、ステップＳ８０へ進む。ステップＳ８０では、表示制御部２０４ｄは、撮像素子２０３で取得した画像を時系列でモニタ２０８に出力することによってモニタ２０８にスルー画を表示する。その後、ステップＳ９０へ進む。
【００４３】
ステップＳ９０では、制御装置２０４は、使用者によって操作部材２０１に含まれる電源ボタンが操作されることにより、デジタルカメラ２００の電源がオフされたか否かを判断する。肯定判断した場合には、処理を終了する。これに対して、否定判断した場合には、ステップＳ１００へ進み、制御装置２０４は、使用者によって操作部材２０１に含まれるいずれかのボタンが操作されたか否かを判断する。肯定判断した場合には、ステップＳ１１０へ進み、制御装置２０４は、使用者によるボタン操作に応じた処理（例えば、撮影処理、画像再生処理、データ通信処理）を実行して、ステップＳ９０へ戻る。これに対して、ステップＳ１００で否定判断した場合には、そのままステップＳ９０へ戻る。
【００４４】
以上説明した本実施の形態によれば、以下のような作用効果を得ることができる。
（１）通信制御部２０４ａは、使用者による操作に基づいて、メモリカードに記録されている画像ファイルのサーバ１００への送信開始を受け付け、使用者による送信開始指示があったときに、通信モジュール２０９を介してサーバ１００との間で無線通信を確立する。そして、データ送受信部２０４ｂは、サーバ１００へ画像ファイルを送信する。このとき、データ送受信部２０４ｂは、サーバ１００との間の無線通信を確立してから、サーバ１００との間の無線通信を切断するまでの間に、広告データの送信をサーバ１００に要求し、サーバ１００から広告データを受信する。表示制御部２０４ｄは、受信した広告データをモニタ２０８に表示するようにした。これによって、サーバ１００との間の無線通信を確立してから、サーバ１００との間の無線通信を切断するまでの間に、広告データを受信して表示するため、広告データの表示を目的とした待ち時間を発生させずに済む。
【００４５】
（２）表示制御部２０４ｄは、データ送受信部２０４ｂがサーバ１００へ画像ファイルを送信している間に、広告データをモニタ２０８に表示するようにした。これによって、使用者は、画像ファイル転送中の待ち時間を利用して、広告やお知らせなどの広告データを閲覧することができる。
【００４６】
（３）表示制御部２０４ｄは、広告データと共に画像ファイルの送信状況を示す情報をモニタ２０８に表示するようにした。これによって、使用者は、画像ファイルの送信状況を把握することができる。
【００４７】
（４）記録制御部２０４ｃは、データ送受信部２０４ｂが受信した広告データをフラッシュメモリ２０６に記録しておき、表示制御部２０４ｄは、フラッシュメモリ２０６に記録されている広告データを読み出して、モニタ２０８に表示するようにした。これによって、受信した広告データを使用者が望むタイミングで表示することが可能になる。
【００４８】
（５）記録制御部２０４ｃは、広告データがフラッシュメモリ２０６に記録されていることを示す情報である広告保存フラグをフラッシュメモリ２０６に記録するようにした。そして、表示制御部２０４ｄは、デジタルカメラ２００の電源がオンされたときに、フラッシュメモリ２０６に広告保存フラグが記録されている場合には、フラッシュメモリ２０６内に広告データが記録されていることを示す情報アイコン７ａをスルー画上に重畳して表示するようにした。これによって、使用者は、フラッシュメモリ２０６内に広告データが記録されていることを把握することができる。
【００４９】
（６）記録制御部２０４ｃは、フラッシュメモリ２０６に記録されている広告データの数が所定数以上であるときに、サーバ１００から新たな広告データを受信した場合には、フラッシュメモリ２０６に記録されている広告データの中から、広告ＩＤが最も小さい、すなわち、優先順位の最も低い広告データを消去した後、新たに受信した広告データを記録するようにした。すなわち、フラッシュメモリ２０６に記録されている広告データの内、サーバ１００からの受信日時が最も古い広告データを削除して、新たな広告データをフラッシュメモリ２０６に記録するようにした。これによって、記録する広告データの数を制限することにより、フラッシュメモリ２０６のメモリ容量を節約することができ、さらに自動的に古い広告データを削除することができる。
【００５０】
（７）広告データには、各広告の有効期限が設定されており、記録制御部２０４ｃは、フラッシュメモリ２０６に記録されている広告データのうち、有効期限が切れた広告データをフラッシュメモリ２０６から削除するようにした。これによって、有効期限が切れた広告データを自動的に削除することができる。
【００５１】
（８）使用者は、削除したくない広告データを操作部材２０１を操作してプロテクトすることができるようにした。そして、記録制御部２０４ｃは、有効期限が切れた広告データのうち、プロテクトされていない広告データのみを削除するようにした。これによって、使用者が保存しておきたいと考えている広告データが、使用者の意思とは無関係に削除されることを防ぐことができる。
【００５２】
（９）データ送受信部２０４ｂは、サーバ１００に対して広告データの送信を要求する時点で、サーバ１００に送信する残りの画像ファイルの枚数が所定枚数、例えば１０枚より多い場合には、サーバ１００に対して新たな広告データの送信を要求し、サーバ１００に送信する残りの画像ファイルの枚数が所定枚数以下である場合には、サーバ１００に対して広告データの送信を要求しないようにした。これによって、サーバ１００に送信する残りの画像ファイルの枚数が少ない場合には、残りの待ち時間が少ないことから、新たな広告データが短時間しか表示されなくなるという問題を回避することができる。
【００５３】
―変形例―
なお、上述した実施の形態のデータ送受信システムは、以下のように変形することもできる。
（１）上述した実施の形態では、使用者によって操作部材２０１が操作されて画像ファイルの転送開始が指示されたときに、サーバ１００に画像ファイルの転送を行ない、その間に広告データの受信および表示を行う例について説明した。しかしながら、使用者によってデジタルカメラ２００にＡＣアダプタが接続されたとき、またはデジタルカメラ２００がクレードルに載置されたときに、通信制御部２０４ａは、自動的にサーバ１００との通信を開始し、データ送受信部２０４ｂは、サーバ１００への画像ファイルの転送を開始するようにしてもよい。この場合は、表示制御部２０４ｄは、画像ファイルの転送中には、受信した広告データをモニタ２０８に表示しなくてもよい。
【００５４】
そして、データ送受信部２０４ｂは、サーバ１００への画像ファイルの転送中に広告データを受信し、記録制御部２０４ｃは、受信した広告データをフラッシュメモリ２０６に記録するようにしてもよい。その後、使用者によってデジタルカメラ２００の電源がオンされたときに、制御装置２０４は、図６に示す処理を実行するようにしてもよい。これによって、カメラ２００は、画像ファイルのサーバ１００へのバックアップ中に自動的に広告データを取得することができ、使用者は、次回のカメラ起動時に、バックアップ中に取得された広告を閲覧することができる。
【００５５】
（２）上述した実施の形態では、画像ファイルの転送中にサーバ１００から受信した広告データは、画像ファイルの転送が完了した後もフラッシュメモリ２０６に保存しておく例について説明した。しかしながら、画像ファイルの転送が完了した後は、広告データをフラッシュメモリ２０６から削除するようにしてもよい。これによって、フラッシュメモリ２０６の使用量を減らすことができる。
【００５６】
（３）上述した実施の形態では、データ送受信部２０４ｂは、サーバ１００に対する広告データの送信要求時に、サーバ１００に対して、フラッシュメモリ２０６に記録されている広告データに付加されている広告ＩＤのうち、最も番号の大きい広告ＩＤを送信するようにした。そして、サーバ１００は、広告ＩＤが受信した広告ＩＤより１つ大きい広告データをデジタルカメラ２００に送信するようにした。しかしながら、データ送受信部２０４ｂは、サーバ１００に対する広告データの送信要求時にはサーバ１００に広告ＩＤを送信せず、サーバ１００から受信した広告データのうち、既にフラッシュメモリ２０６に記録されている広告データと広告ＩＤが重複するものは、フラッシュメモリ２０６に記録しないで削除するようにしてもよい。
【００５７】
（４）上述した実施の形態では、図６のステップＳ６０において、表示制御部２０４ｄは、フラッシュメモリ２０６に広告保存フラグが記録されている場合には、図７に示したように、情報アイコン７ａをスルー画上に重畳して表示することによって、使用者にフラッシュメモリ２０６内に広告データが記録されていることを通知する例について説明した。しかしながら、表示制御部２０４ｄは、フラッシュメモリ２０６に広告保存フラグが記録されている場合には、ステップＳ５０でオープニング画面を表示した後に、図８に示すような広告表示の可否を問う画面をモニタ２０８に表示するようにしてもよい。表示制御部２０４ｄは、この画面上で使用者によって操作部材２０１が操作されて「はい」が選択された場合には、フラッシュメモリ２０６に記録されている広告データを読み出してモニタ２０８に表示する。一方、「いいえ」が選択された場合には、モニタ２０８にスルー画を表示する。あるいは、表示制御部２０４ｄは、フラッシュメモリ２０６に広告保存フラグが記録されている場合には、ステップＳ５０でオープニング画面を表示した後に、図８の確認画面の表示をすることなしに、フラッシュメモリ２０６に記録されている広告データをモニタ２０８に表示するようにしてもよい。
【００５８】
（５）上述した実施の形態では、デジタルカメラ２００からサーバ１００に画像ファイルを転送する際に、デジタルカメラ２００がサーバ１００から広告データやお知らせデータなどの通知情報のデータを受信してモニタ２０８に表示する例について説明した。しかしながら、デジタルカメラ２００に代えて、転送対象の画像ファイルを記憶媒体に記録でき、広告データを表示できるモニタを備えた他の画像データ記録装置、例えば、パーソナルコンピュータや携帯電話などを用いてもよい。
【００５９】
なお、本発明の特徴的な機能を損なわない限り、本発明は、上述した実施の形態における構成に何ら限定されない。
【図面の簡単な説明】
【００６０】
【図１】データ送受信システムの一実施の形態の構成を示すブロック図である。
【図２】デジタルカメラの一実施の形態の構成を示すブロック図である。
【図３】サーバ１００とデジタルカメラ２００との間で送受信されるデータの内容を時系列で表示した図である。
【図４】モニタ２０８への広告データ、および画像ファイルの転送状況の表示例を示す図である。
【図５】広告データの削除、またはプロテクトを行うために表示される画面の具体例を示す図である。
【図６】デジタルカメラ２００の電源オン時に実行される処理のフローチャート図である。
【図７】スルー画上に情報アイコンを重畳して表示した場合の具体例を示す図である。
【図８】デジタルカメラ２００の電源オン時に、フラッシュメモリ２０６に記録されている広告データを表示するか否かを使用者に問い合わせるための画面の具体例を示す図である。
【符号の説明】
【００６１】
１０  データ送受信システム、１００  サーバ、２００  デジタルカメラ、２０１  操作部材、２０２  レンズ、２０３  撮像素子、２０４  制御装置、２０４ａ  通信制御部、２０４ｂ  データ送受信部、２０４ｃ  記録制御部、２０４ｄ  表示制御部、２０５  ＳＤＲＡＭ、２０６  フラッシュメモリ、２０７  メモリカードスロット、２０８  モニタ、２０９  通信モジュール、３００  アクセスポイント
【図１】
2009117898.tif 000003
【図２】
2009117898.tif 000004
【図３】
2009117898.tif 000005
【図４】
2009117898.tif 000006
【図５】
2009117898.tif 000007
【図６】
2009117898.tif 000008
【図７】
2009117898.tif 000009
【図８】
2009117898.tif 000010